(57)【要約】  【課題】 起立状態で固定された前パネルによる制約を受けず、デザインの自由度の大きい構造の鍵盤楽器を提供することを目的とする。  【解決手段】 演奏操作される鍵盤と、閉状態において前後に並んで位置するように分割された前カバー及び後カバーを備え、該前カバー及び後カバーを折りたたんだ開状態で鍵盤の上方を開放するカバーユニットと、前記鍵盤及び楽音発生手段を収容する楽器本体とを備えた電子鍵盤楽器において、前記前カバーと後カバーとは各々の上部をヒンジ部により回動可能に結合されており、前記前カバー後端部は楽器本体内に固定された回動支持部により前記ヒンジ部より下方の部分を回動自在に支持され、前記後カバーは、側板に設けられた案内機構により前後方向に移動可能に支持されており、前記楽器本体に設けられた天板は、開状態にある前記前カバーの先端部より下方に位置するように設けられる。【選択図】 図２
2008310356.tif 000002
【特許請求の範囲】
【請求項１】
演奏操作される鍵盤と、 
閉状態において前後に並んで位置するように分割された前カバー及び後カバーを備え、該前カバー及び後カバーを折りたたんだ開状態で鍵盤の上方を開放するカバーユニットと、
前記鍵盤及び楽音発生手段を収容する楽器本体と
を備えた電子鍵盤楽器であって、
前記前カバーと後カバーとは各々の上部をヒンジ部により回動可能に結合されており、前記前カバー後端部は楽器本体内に固定された回動支持部により前記ヒンジ部より下方の部分を回動自在に支持され、前記後カバーは、側板に設けられた案内機構により前後方向に移動可能に支持されており、
前記楽器本体に設けられた天板は、開状態にある前記前カバーの先端部より下方に位置するように設けられていることを特徴とする電子鍵盤楽器。
【請求項２】
演奏操作される鍵盤と、
閉状態において前後に並んで位置するように分割された前カバー及び後カバーを備え、該前カバー及び後カバーを折りたたんだ開状態で鍵盤の上方を開放するカバーユニットと、
前記鍵盤及び楽音発生手段を収容する楽器本体と
を備えた電子鍵盤楽器であって、
前記前カバーと後カバーとは各々の上部をヒンジ部により回動可能に結合されており、前記前カバー後端部は楽器本体内に固定された回動支持部により前記ヒンジ部より下方の部分を回動自在に支持され、前記後カバーは、側板に設けられた案内機構により前後方向に移動可能に支持されており、
前記前カバーには、電気配線を伴った機能部材が、前記カバーユニットの開状態においてその正面を演奏者の側に向けるようにして装着されていることを特徴とする電子鍵盤楽器。
【請求項３】
前記機能部材がスピーカであり、前記前カバーに内蔵されていることを特徴とする請求項２に記載の電子鍵盤楽器。
【請求項４】
前記機能部材が、電子的表示部を備えていることを特徴とする請求項２に記載の電子鍵盤楽器。
【請求項５】
複数の操作子を楽器本体に備え、該操作子を覆うカバーユニットを有し、楽器本体の上面を前記カバーユニットと天板とで構成した電子鍵盤楽器において、
前記カバーユニットは、閉状態において前後に並んで位置するように分割された前カバー及び後カバーを備え、該前カバーと後カバーとは、折りたたんだ開状態で前記操作子の上方を開放するようにヒンジ部により回動可能に結合されており、
前記前カバーは、前記複数の操作子の両端外側における楽器本体内の回動支持部により回動自在となっており、前記回動支持部は前記ヒンジ部より下方に位置しており、
前記後カバーの後端部は、前記カバーユニットの開閉動作が前記ヒンジ部及び回動支持部を回動中心として行なわれる際に前記後カバーの移動を許容する緩衝部材として作用するリンク部材の一端に回動自在に支持され、該リンク部材の他端は楽器本体における前記天板の下面近傍に支持されていることを特徴とする電子鍵盤楽器。
【請求項６】
複数の操作子を楽器本体に備え、該操作子を覆うカバーユニットを有し、該カバーユニットの開閉時にカバーユニットの自重による負荷を軽減する負荷軽減手段を備えた電子鍵盤楽器において、
前記カバーユニットは、閉状態において前後に並んで位置するように分割された前カバー及び後カバーを備え、該前カバーと後カバーとは、折りたたんだ開状態で前記操作子の上方を開放するようにヒンジ部により回動可能に結合されており、
前記前カバーは、前記複数の操作子の両端外側における楽器本体内の回動支持部により回動自在に支持され、該回動支持部は前記ヒンジ部より下方に位置しており、
前記負荷軽減手段は、前記カバーユニットの全開又は全閉位置へ近づくにしたがって該位置への接近に対する抵抗力を増すように、一端を楽器本体に結合され、他端を前記ヒンジ部から該ヒンジ部の長手方向を横切る方向に離れた位置で前記前カバーに結合された弾性部材を備えていることを特徴とする電子鍵盤楽器。
【発明の詳細な説明】
【技術分野】
【０００１】
本発明は、電子ピアノ、電子オルガン等の電子鍵盤楽器に関する。
【背景技術】
【０００２】
鍵盤蓋を大型にすると、開閉の際に力を要したり、開閉始終端の安全性に問題があるため、鍵盤蓋を分割して結合する構成があった。その１つとして、鍵盤蓋を開く際に、該鍵盤蓋が回動すると共に後退する構造とした、特開平１１−１７５０５３号公報（特許文献１）に記載のものがある。これにおいては、図１１（ａ），（ｂ）に示すように、閉状態でほぼ水平に延びる鍵盤蓋が前蓋１０６ａと後蓋１０６ｂに分割され、両者はヒンジ部材１０７で結合されている。前蓋１０６ａには、両側端において後端から下方へ延びるアーム１０８が設けられ、該アームが回動軸１１４ａにより回動可能に支持されている。後蓋１０６ｂは、後端部が山板１０３によりスライド可能に支持されている。これにより、鍵盤蓋を開く際には、前蓋１０６ａがアーム１０８の回動支点を中心に回動し、この前蓋の移動はヒンジ部材１０７を介して後蓋１０６ｂの後方へのスライドを生じさせる。鍵盤蓋の後方では、該鍵盤蓋の奥行き寸法とほぼ同じ高さの前パネルが起立状態で固定されており、全開位置に至ると、前蓋は前パネル側へ起立して側板に設けられたストッパ１２４に当接して支持される。
【０００３】
しかしながら、この鍵盤楽器は、起立状態に固定された前パネルで、楽器本体の上方部分を覆う構造となっており、鍵盤蓋は、開状態としたときに前パネルの高さに納まるようになっている。したがって、前パネルが鍵盤蓋後方からそびえ立ち、その上の天板が高い位置にあるという構造となり、高さ方向に嵩張り、演奏時に圧迫感を伴う。
【０００４】
また、天板の位置を下げて前パネルを低く、又は省略した構造を可能にする構造として、鍵盤蓋全体を前後方向に摺動可能に支持し、開状態では鍵盤蓋を後方へ移動して天板の下方に納めてしまうものや、開状態で鍵盤蓋を後方へ巻き取るスライド蓋があった。しかしながら、このような構造では、アコースティックピアノに由来する回動式鍵盤蓋の高級感に欠ける。また、鍵盤蓋を開く際、回動式の場合のように引き上げる動作ではなく、天板下へ押し込む動作となり、操作の簡便性に劣るという欠点がある。
【特許文献１】特開平１１−１７５０５３号公報（段落００１６〜００３０、図１〜３）
【発明の開示】
【発明が解決しようとする課題】
【０００５】
本発明は、前述の問題点を解決し、鍵盤蓋より上方の寸法を低く抑えることにより楽器本体の高さを低くし、且つ回動式鍵盤蓋を備えることができる構造の電子鍵盤楽器を提供することを目的とする。
【課題を解決するための手段】
【０００６】
本発明は、前記目的を達成するため、演奏操作される鍵盤と、閉状態において前後に並んで位置するように分割された前カバー及び後カバーを備え、該前カバー及び後カバーを折りたたんだ開状態で鍵盤の上方を開放するカバーユニットと、前記鍵盤及び楽音発生手段を収容する楽器本体とを備えた電子鍵盤楽器であって、前記前カバーと後カバーとは各々の上部をヒンジ部により回動可能に結合されており、前記前カバー後端部は楽器本体内に固定された回動支持部により前記ヒンジ部より下方の部分を回動自在に支持され、前記後カバーは、側板に設けられた案内機構により前後方向に移動可能に支持されており、前記楽器本体に設けられた天板は、開状態にある前記前カバーの先端部より下方に位置するように設けられていることを特徴とする電子鍵盤楽器を提供するものである。
【０００７】
このように、本発明に係る電子鍵盤楽器においては、鍵盤から天板又はその近傍に亘る部分が、前カバー及び後カバーを備えたカバーユニットで覆われる。したがって、鍵盤から天板又はその近傍までの範囲の形態を、前カバー及び後カバーで自由に決定することができる。また、カバーユニットが閉状態から開状態に遷移するにつれて、後カバーが後方に移動し、開状態では前カバーは前記後カバーに代わって天板の前端部付近より下方部分を覆うように構成することができる。この場合は、前記範囲の形態を種々に決定しても、開状態に至った前カバーは、後カバーに代わって天板の前端部付近より下方部分を覆うので、天板から上方へ大きく飛び出すということがない。これにより、起立状態で固定された前パネルによる制約を受けずに優れたデザインを得ることができる。また、前記天板は、開状態にある前記前カバーの先端部より下方に位置するように設けられているので、該天板が低い位置にあり楽器本体全体の高さを低く抑えることができる。
【０００８】
前記電子鍵盤楽器は、カバーユニットが開状態にあるときに、演奏者の側に向くようにして電気配線を伴った機能部材が前カバーに装着されたものとすることができる。これにより、電子鍵盤楽器に必要な機能部品を配設するスペースを鍵盤と天板との間等に設ける必要がなく、奥行き方向の楽器長を小さくできると共に、機能部品の不機能状態で機能部品を保護することができる。また、電気配線を伴った機能部材は、製造時又はメンテナンス時の点検や調整を必要とすることがあるが、この構造によると、天板を外す等して後カバーを前方へ回動すると、前カバーの後方が大きく開くので、その開口部を通じて電気配線部分の点検や調整を容易にすることができる。機能部材を装着した鍵盤蓋は、厚さを増すことが多いが、本件発明の構造によれば、カバーユニットを開状態にしても、前カバーの厚さ分が前方に出てきたり、或いは後方にその厚さ分の収容スペースを必要としたりすることがない。これは、前カバーと後カバーとは各々の上部をヒンジ部で回動可能に結合され、前カバー後端部は、楽器本体内に固定された回動支持部によりヒンジ部より下方の部分を回動自在に支持されているという構造による。すなわち、鍵盤蓋の厚さが増しても、開状態に至る際に、前カバーは閉状態における上面を、回動支持点部を中心に後方へ移動させるように回動し、後カバーもこれに連れて後方へ移動する。したがって、前カバーの厚さ分は、開状態で後方への移動部分を生じるが、後カバーがこれに伴って後方へ移動するので、後方にその厚さ分の収容スペースを必要としないのである。閉状態における前カバーの上面は、開状態へ移行する際に後方へ移動するので、前カバーの厚さ分が前方へ出てくることもない。
【０００９】
前記機能部材は、スピーカとし、前カバーに内蔵することができる。これにより演奏者は、カバーユニットを開いて演奏する際に、楽器本体の背面スピーカや他所の外部スピーカからではなく、前カバーに内蔵されたスピーカから直接的に精度よく、楽音を聴くことができる。また、スピーカは前カバーに内蔵されるので、閉じた状態では前カバーに上方を覆われる。したがって、楽器本体等の固定部分に上向きにスピーカを装着して布製等のネットで覆った場合の問題、すなわち、ネットから埃が浸入して振動板上や加振部に溜まり、衛生上良くないばかりか、スピーカの機能に支障を来すこともあるという問題を解決することができる。また前記機能部材は、上記スピーカの他、液晶ディスプレイ等の電子的表示部を備えたものとすることもできる。
【００１０】
また本発明は、複数の操作子を楽器本体に備え、該操作子を覆うカバーユニットを有し、楽器本体の上面を前記カバーユニットと天板とで構成した電子鍵盤楽器において、前記カバーユニットは、閉状態において前後に並んで位置するように分割された前カバー及び後カバーを備え、該前カバーと後カバーとは、折りたたんだ開状態で前記操作子の上方を開放するようにヒンジ部により回動可能に結合されており、前記前カバーは、前記複数の操作子の両端外側における楽器本体内の回動支持部により回動自在となっており、前記回動支持部は前記ヒンジ部より下方に位置しており、前記後カバーの後端部は、前記カバーユニットの開閉動作が前記ヒンジ部及び回動支持部を回動中心として行なわれる際に前記後カバーの移動を許容する緩衝部材として作用するリンク部材の一端に回動自在に支持され、該リンク部材の他端は楽器本体における前記天板の下面近傍に支持されていることを特徴とする電子鍵盤楽器をも提供する。
【００１１】
すなわち、前記リンク部材は、前記後カバー後部の案内部材として機能するが、案内部材の機能上必要とされる構成要素は、相互の回転運動により作動するので、スライド動作を伴う場合の摺動摩擦がない。したがって、カバーユニットのスムーズな開閉を実現するのに有利である。
【００１２】
また本発明は、複数の操作子を楽器本体に備え、該操作子を覆うカバーユニットを有し、該カバーユニットの開閉時にカバーユニットの自重による負荷を軽減する負荷軽減手段を備えた電子鍵盤楽器において、前記カバーユニットは、閉状態において前後に並んで位置するように分割された前カバー及び後カバーを備え、該前カバーと後カバーとは、折りたたんだ開状態で前記操作子の上方を開放するようにヒンジ部により回動可能に結合されており、前記前カバーは、前記複数の操作子の両端外側における楽器本体内の回動支持部により回動自在に支持され、該回動支持部は前記ヒンジ部より下方に位置しており、前記負荷軽減手段は、前記カバーユニットの全開又は全閉位置へ近づくにしたがって該位置への接近に対する抵抗力を増すように、一端を楽器本体に結合され、他端を前記ヒンジ部から該ヒンジ部の長手方向を横切る方向に離れた位置で前記前カバーに結合された弾性部材を備えていることを特徴とする電子鍵盤楽器をも提供する。
【００１３】
これにより、前カバーの自由端を支持するのに要する力を、回動範囲に亘って、より均一化することができ、特にカバーユニットの全開位置又は全閉位置に近づいたときに必要とされる前カバー支持力の著しい増大を回避することができる。特に機能部材を装着した前カバーは、重量が増すことが多く、これに伴って全開位置又は全閉位置に近づいたときに必要とされる前カバー支持力も増すので、前記弾性部材を備えた構造による利点は大きい。
【発明の効果】
【００１４】
以上のように、本発明に係る電子鍵盤楽器によれば、鍵盤蓋より上方の寸法を低く抑えることにより楽器本体の高さを低くし、且つ回動式鍵盤蓋を備えることができるため、前述のような問題点を解決した構造の電子鍵盤楽器を提供することができる。
【発明を実施するための最良の形態】
【００１５】
以下、本発明の実施形態について添付図面を参照しつつ説明する。説明に用いる図面においては、同一又は同種の部分に同じ番号を付して説明を省略することがある。
（第１の実施形態）
図１〜図４は、本発明を電子鍵盤楽器に適用した場合の第１の実施形態を示している。図１〜図３は、電子鍵盤楽器１の縦断側面図であり、図１は鍵盤蓋を兼ねるカバーユニットを閉じた状態、図２は開いた状態、図３はその中間の状態を各々示している。また、図４は電子鍵盤楽器１のカバーユニットを開いた状態を部分的に示している。
【００１６】
この電子鍵盤楽器１は、白鍵３及び黒鍵４、楽音の発生及び制御のための電子回路（図示省略）等を備え、これらを楽器本体ケース１０に収容している。該ケース１０は、底部を形成する棚板５、その演奏者側である前端面を覆う口棒６，背面部に立設した背板７，左右両側部の側板８，上面を覆う天板９，メインスピーカ１３を収容したスピーカボックス１４、棚板５から下方へ延びた脚１９等を備えている。スピーカボックス１４は、鍵並び方向における中央部において、棚板５の下面に取り付けられ、脚１９は棚板５の前部の両端及び後部の中央部に結合されている。このケース１０の中には、楽音の発生及び制御のための電子回路、そのためのスイッチやコントローラ、電源装置、接続端子等が装着されている。
【００１７】
鍵盤及びその後方部分は、カバーユニット３０により覆われる。カバーユニット３０は、前後に分割され折りたたみ自在に結合された前カバー３１及び後カバー３２を備え、前カバー３１及び後カバー３２を延ばした閉状態で口棒６上端から鍵盤上方を経て天板９の前端に亘る部分を覆い、折りたたんだ開状態で鍵盤の上方を開放する。
【００１８】
前カバー３１と後カバー３２とは各々の上部をヒンジ部３３で回動可能に結合されている。ヒンジ部３３は、前カバー３１及び後カバー３２の左右両端部間に亘って連続して延びた蝶番の形態をとっている。尤も、ヒンジ部は、前カバー３１と後カバー３２とに亘って延びる可撓性部材の形態とする等、前カバー及び後カバーを回動可能に結合する種々の形態とすることができる。
【００１９】
前カバー３１は、スピーカ３４等の機能部材を収容する厚さを有しており、閉じた状態において後部上端となる位置に前記ヒンジ部３３が取り付けられ、左右両側の後部におけるヒンジ部３３より下方の部分が、回動装置４０を介して側板８に支持されている。より詳細には、前カバー３１は、閉状態において、上面に位置する上壁３１ａと、その先端から垂下する前壁３１ｂと、下面に位置する下壁３１ｃとを備え、これらは鍵盤全体を覆う長さで鍵並び方向に延設されている。下壁３１ｃは、開蓋時に音色、効果等の楽音制御パラメータ、自動演奏やプレイアシスト時の各種パラメータの設定を行う各種多様の操作子を立設した制御パネルとして機能するものであり、それらの操作子の設定時に利用される液晶表示器３１ｋが左右方向の中央に配設されている。上壁３１ａと下壁３１ｃ、及び前壁３１ｂと下壁３１ｃは、各々結合部材３１ｅ、３１ｆで相互に結合されている。
【００２０】
下壁３１ｃは、閉状態において上壁３１ａより後方まで延設され、その後端部の両端部において、側板８に設けた回動装置４０への回動支点部としての嵌合孔３１ｈを有した取付け板３１ｇを固着した構造をしている。詳細には、取付板３１ｇの嵌合孔３１ｈは、前カバー３１側に保持されており、側板８に設けられた回動装置４０の回動支持部４１から内側に突設した長方形の軸４２を嵌合することで、本体に対して前カバー３１は回動自在になる
【００２１】
前カバー３１の回動に連動して後カバー３２が移動するが、この後カバー３２の動作を案内するための案内機構５０が本体側に設けられている。案内機構５０は、天板９のやや下方において直接又は他の部材を介して側板に設けられ略水平に延びる案内溝５１と、案内溝５１から天板上端に通じる導入溝５２が設けられている。後カバー３２の後端部には、案内溝５１から天板上端に通じる導入溝５２が設けられ、案内溝５１に嵌められた係合ピン５３を支持する支持板５４が取り付けられている。前カバー３１を開閉する際には、案内溝５１が係合ピン５３の摺動ガイドとして働き、後カバー３２の前後動を案内する。なお上記の配置に代え、案内機構５０及び後カバー３２における装着部材を逆にし、案内溝５１を後カバー３２に、係合ピン５３を側板８に設けてもよい。また、前記案内溝５１は、係合部材としての係合ピン５３を介して後カバー３２の移動を案内する種々の経路で形成することができる。例えば、案内する経路を直線状とすれば後カバ３２ーの動作範囲も直線状となる。このように、案内する経路を所望の形態にして、動作の合理化や楽器本体のコンパクト化を図ることもできる。
【００２２】
側板８にはさらに、前カバー３１の開閉動の際に回動支点となる回動装置４０が取り付けられている。回動装置４０は、側板８から突出し回転する軸４２と、側板８内に埋め込まれ、軸４２を回動自在に支持する回動支持部４１とを備えた公知のダンパ機能を有するものである。この回動装置４０においては、軸４２が回動支持部４１内で回動する時に、回動支持部４１内部部材の接触抵抗によって軸４２の回動に抵抗が与えられ、回転動作が緩慢化される。一方、前カバー３１には、回転片としての取付板３１ｇが設けられており、前述した軸４２はこの嵌合孔３１ｈに嵌合しており、この回動装置４０の働きによって、前カバー３１の回動動作に適切な抵抗が与えられている。この動作の緩慢化作用は、前カバー３１を閉じるときに強く働くようにすることにより、カバーユニット３０がその重量で急激に閉じるのを防止することができる。
【００２３】
回動装置４０は、ヒンジ部３３より下方に設けられる。これにより、回動支持部４１とヒンジ部３３との距離を半径として、前カバー３１を開動作と共に後方へ移動させ、前カバー３１下方の鍵盤部分を広く開放することができる（図２参照）。この開放範囲を大きくするためには、回動装置４０は、ヒンジ部３３の下方であって且つ後方に配置するのが望ましい。
【００２４】
この配置により、前記カバーユニット３０は、閉状態において、前カバー３１と後カバー３２との結合部分が鍵盤の上方に位置し、開状態において、前カバー３１及び後カバー３２は鍵盤上方を開放する位置に後退する。前カバー３１及び後カバー３２は、ヒンジ部３３とそれより下方の回動支持部４１とで回動自在に支持され、その結果、前カバーは、開状態において、前記後カバーに代わって天板の前端部付近より下方部分を覆うように構成される。この際、閉状態における前後方向の寸法が大きいと、開状態となったときに、前カバー３１が天板９から上方へ突出することがある。前カバー３１と後カバー３２との結合部分が鍵盤の上方に位置するように前カバー３１の寸法を決めておけば、前カバー３１の寸法が制限されるので、そのような突出を回避し、確実に天板９の前端部付近より下方部分を覆う構成をとることができる。なお、前記回動支点部としての嵌合孔３１ｈはヒンジ部３３より下にあるのが望ましく、ヒンジ部３３は前記回動支点部より前にあるのが望ましい。
【００２５】
側板８には、カバーユニット３０が開位置に至ったときに、前カバー３１における回動装置４０近傍部分、及び後カバー３２のヒンジ部３３近傍部分に当接して移動を停止させるストッパ６１及び６２が設けられている。
【００２６】
前カバー３１及び後カバー３２は、このようにヒンジ部３３、回動装置４０、案内機構５０により開閉動作するように支持され、カバーユニットが閉状態から開状態に遷移するにつれて、後カバー３２が後方に移動しつつ、その前端が下方に下がる。こうして、前記カバーユニットの開状態において前カバー３１は後カバー３２に代わって天板の前端部付近より下方部分を覆うように構成されている。
【００２７】
この実施形態においては、さらに前カバー３１にスピーカ３４が内蔵されている。このため、前カバー３１の上壁３１ａと下壁３１ｂは結合部材３１ｅにより相互に間隔をおいて結合し、収容空間を形成している。スピーカ３４は、下壁３１ｂに結合された取付け板３１ｉにビス等により固定され、図外の接続線によりケース内の楽音発生手段に接続され、鍵や操作子の操作により、メインスピーカと共に発音するようになっている。スピーカ３４の振動板は、下壁３１ｂに対向しており、これによりカバーユニットを開いたときに、音響放射方向が演奏者に向くようになっている。尤も、スピーカの振動板そのものの向きは必ずしも下壁に向いている必要はなく、例えば上壁３１ａに向けて配置され前カバー３１内の空間を経て下壁３１ｂの側、すなわち、演奏者の側へ音響放射が向けられるようにしてもよい。前カバー３１には、スピーカの他、楽音制御のためのスイッチやコントローラ、液晶等のディスプレー等、種々の機能部材がパネル面（下壁３１ｃ）に操作可能に装着されている。なお、図１及び図２において、破線３１ｍ，３１ｎはそれぞれ前記機能部材としての液晶表示器３１ｋ及びスピーカ３４からの配線を示す。図から明らかなように、前記配線３１ｍ，３１ｎは、ストッパ６１及び６２の間に配設され、開蓋時においてはヒンジ部３３の前方に位置するように配設されている。
【００２８】
前カバー３１は、機能部材を組み込む結果、通常より厚さが増す。開状態においてその厚さ分が演奏者側へ突出するなどして、デザイン上又は機能上の支障を来さないように、前カバー３１は十分に後方へ回動して開状態に至るようにするのが望ましい。このためには、開状態でヒンジ部材３３が、回動装置４０による支点より下方の位置に至るようにするのが望ましい。これは特に、閉状態において、略水平な前カバーに対し、後カバーが後方へ大きく傾斜し、或いは略水平となっている場合に効果的である。カバーユニット３０は、閉状態にあるときに前カバー３１ａ及び後カバー３１ｂが側面視において上方へ湾曲して略直線状に並び、開状態にあるときに前カバー３１ａが後方へ回動して後カバー３１ｂに接近した位置をとるようになっている。
【００２９】
この例ではさらに、カバーユニット３０の開閉動作のために、図示のような緩衝機構７０を備えている。この緩衝機構７０は、カバーユニット３０の鍵並び方向両端部における後部に延設して係止部７１を設け、これに引張りコイルバネ等の弾性部材７２の一端を係止し、該弾性部材の他端を、棚板５上のピン７３に係止したものである。これらの配置は、カバーユニット３０を開いた状態及び閉じた状態において、弾性部材７２の伸び量が大きく、その中間位置においては、伸び量が小さくなるように決められる。図１及び図２では、各々カバーユニット３０を閉じ状態及び開いた状態での弾性部材７２が示されている。図３では、カバーユニット３０を閉じた状態及び開いた状態における弾性部材７２の位置を想像線で、中間位置における弾性部材７２の位置を破線で示している。このように、カバーユニット３０を最も開いた状態及び完全に閉じた状態において弾性部材７２による弾性力が大きく作用するので、カバーユニットはこれら開位置及び閉位置に近づくにつれてその動作と逆向きに大きな弾性力を受ける。その結果、カバーユニットが自らの重力により急激に開又は閉の状態に至るのが防止され、開閉動作時に指を挟む等の危険が回避される。特に、スピーカ等の機能部材を収納することにより蓋体の重量が大きくなっている場合に、この緩衝機構が果たす役割は大きい。
【００３０】
このように、前記弾性部材７２による弾力は、カバーユニットの開閉動作についてのダンパ機能を果たすものであるが、このダンパ機能は、閉蓋時においてより強く作用することが好ましい。このように閉蓋時に強くダンパ機能を作用させる場合、弾性部材７２の伸び量は閉蓋時と開蓋時において対称ではなくなる。ただし、閉蓋時により強くダンパ機能が作用するように、前述の回動装置４０のダンパ機能を調節してもよい。この場合、前記弾性部材の伸び量は閉蓋時と開蓋時において対称としてもよい。すなわち、図３に示すように開蓋時と閉蓋時では弾性部材７２の位置がほぼ線対称をなしており、その伸び量もほぼ同じとなる。
【００３１】
なお、弾性部材を支持するためのピン７３等の係止部材は、図示のように棚板５に設ける他、側板８に設ける等、楽器本体の種々の箇所に直接或いは他の部材を介して設けることができる。
【００３２】
なお、前記回動支持部４１を備えた回動装置４０は、本実施形態では楽器本体ケース１０側（側板８側）に設けられているが、本発明においてはこれに限定されるものではない。すなわち、前カバー３１の後端部において前記回動装置４０と同様の回動装置を回動支点として固定し、楽器本体ケース側に前記回転片と同様の取付板を固定してもよい。
【００３３】
また前記カバーユニット３０は、閉状態にあるときに前カバー３１及び後カバー３２が側面視において略直線状に並び、該前カバー及び後カバーの内、少なくとも後カバーが上に凸の曲面によって略全体を構成され、開状態にあるときに前カバーが後方へ回動して後カバーに接近した位置をとるように構成することができる。このような形態によれば、カバーユニットが覆う鍵盤上方の位置から天板までの範囲が、略直線状に形成され、且つ該前カバー及び後カバーの内、少なくとも後カバーが上に凸の曲面によって略全体を構成されているので、電子鍵盤楽器の全高を低く抑えることができる。
【００３４】
（第２の実施形態）
図５及び図６は、本発明を電子鍵盤楽器に適用した場合の第２の実施形態を示している。図５は前カバーを閉じた状態、図６は前カバーを開いた状態を示している。この実施形態として示す電子鍵盤楽器１'では、楽器本体のケースは、前の例と同様の棚板５、口棒６，背板７，側板８，天板９を備える。但し、この実施形態においては、カバーユニット２０を形成する前カバー１２は鍵盤（白鍵３、黒鍵４）を覆って鍵盤蓋（蓋体）として機能し、後カバー１１は、前カバー１２の後端から後方へ上昇するように傾斜して設けられ、楽器本体の演奏者側の面を覆う前板として機能する。また、天板９の前端から短く垂下した垂れ板１０が設けられている。
【００３５】
この電子鍵盤楽器１'では、前カバー１２の内部に機能部材の一例としてスピーカ１４が開蓋時に放音面が演奏者側を向くように収納されている。スピーカ１４は図外の接続線によりケース内の楽音制御装置に接続され、鍵や操作子の操作により、内蔵スピーカ又は外部スピーカと共に発音するようになっている。
【００３６】
ところで、従来の多くの電子鍵盤楽器においては、楽器本体に固定された回動軸で鍵盤蓋の後端部を支持し、これを中心に回動させることにより開閉を可能としたものである。したがって、その鍵盤蓋にスピーカを設置しようとすると、例えば図１２に示すような構造をとることとなる。図１２（ａ）は鍵盤楽器２００に対し鍵盤蓋２０１を閉じた状態を示している。なお、２０３，２０４は、各々白鍵及び黒鍵である。この鍵盤蓋を開いた状態を図１２（ｂ）に示す。図示のように、鍵盤蓋２０１は、ほぼ起立した状態で前板２０２に支持される。この状態でスピーカ２１０は、演奏者の方を向くので、演奏者はこのスピーカ２１０から直接的に楽音を聴くことができる。
【００３７】
しかしながら、このような構造では、鍵盤蓋２０１は、スピーカを収容するのに必要な厚さとなり、鍵盤蓋を閉じたときには、その厚さが目立ち、デザインを損ねる結果となる。また、鍵盤蓋を開いて起立させたときにその厚さ分を受け入れる水平状部分２０５が鍵盤蓋２０１と前板２０２との間に介在し、その長さＬ1の分だけ奥行き寸法、すなわち鍵盤蓋前端と前板との距離Ｌ0が長くなり、外観を損ねることになる。さらに、鍵盤蓋の厚さ分の段部又は凹所が前板との間に生じ、そのような段部や凹所に物が落下して取り出し難くなるという問題も生じ得る。
【００３８】
また、起立した鍵盤蓋を両側板間に受け入れる形態のものにあっては、厚い鍵盤蓋を受け入れるために前パネルを側板の前端縁より大きく後退させる必要が生じる。その結果、鍵盤蓋を閉じた状態では、側板の前端縁と前パネルとに大きな段差が生じ、デザインが極めて悪くなる。
【００３９】
スピーカ以外の機能部材であっても、組み込むことにより鍵盤蓋が厚くなる場合は、同様の問題が生じる。したがって、スピーカ等の機能部材を組み込んでも奥行き寸法の増大の問題を生じない構造の電子鍵盤楽器が望まれる。
【００４０】
これに対し、この実施形態におけるカバーユニット２０の取付け構造は、以下の通りである。楽器本体の演奏者側の面を覆うように後カバー１１が設けられている。これを支持するために、左右両側の側板８に固定された回動支点１５に各々リンク部材１６が回動自在に支持され、後カバー１１は左右両側において後端部が、リンク部材１６の自由端にピン１７により回動自在に結合されており、これらにより案内機構が構成されている。
【００４１】
この実施形態においては、リンク部材１６と後カバー１１後端部との結合部であるピン１７は、リンク部材１６の回動支点１５より上に位置している。これにより、後カバー１１の後端部を天板９に近い上方位置とすることができ、ケース内の収納スペースの確保及び外観上好ましい。尤も、ピン１７をリンク部材１６の回動支点１５より下方に位置させることもできる。
【００４２】
後カバー１１の前端部は、ヒンジ部材１８により前カバー１２の後端部と回動自在に連結されている。ヒンジ部材１８は、前カバー１２及び後カバー１１の左右両端部間に亘って連続して延びている。前カバー１２は、後述するスピーカを収容する厚さを有しており、閉じた状態において後部上端となる位置に前記ヒンジ部材１８が取り付けられ、左右両側における後部下端部を回動支点用ピン２１を介して側板８に回動自在に支持されている（ピン２１の側板８への結合は直接でも他の部材を介してでもよい）。
【００４３】
このように、後カバー１１、リンク部材１６、前カバー１２後部の厚さ方向部分、及び、リンク部材１６の回動支点１５と前カバー１２のピン２１とを支持するケース（側板８）が、各々リンクを構成する四節回転リンク機構を構成している。これにより、前カバー１２が閉状態から開状態に遷移するにつれて、後カバー１１が後方に移動し、且つ前カバー１２が起立して後カバー１１の前方へ位置し、開状態では前カバー１２は後カバー１１に代わって天板９の前端部付近より下方部分を覆うように構成されている。すなわち、リンク部材１６は、後カバー１１の動作に関し、後カバー１１後部の案内部材として機能する。
【００４４】
開いた状態で前カバー１２は、やや後方へ斜めに傾斜して垂れ板１０で支持され、このとき１４は、演奏者の方に音響放射面を向ける。前カバー１２は、スピーカ１４からの音響放射を妨げないように、布製等のネットや多孔性材料でスピーカを覆う部分が構成される。これにより、演奏者は、楽器本体の後方に設置されたスピーカ又は楽器本体外に設置された外部スピーカから発せられる楽音と同時に、スピーカ１４からの楽音を直接的に聴くことができ、楽音を正確に聴き取ることができる。
【００４５】
また、この蓋取付け構造においては、前カバー１２が水平位置へと下降するのに伴って、後カバー１１が全体として上昇する。すなわち、前カバーを閉じる時には、前カバーの重心の下降と後カバー１１の重心の上昇とが打ち消し合うように作用して、前カバー１２の下降動作の加速が緩和される回動範囲がある。
【００４６】
さらに、前カバー１２の開閉動作のために、図示のような緩衝機構を設けることもできる。この緩衝機構は、前カバー１２の鍵並び方向両端部における後部に延設して係止部２３を設け、これにコイルバネ等の弾性部材２２の一端を係止し、該弾性部材２２の他端を、側板８上のピン２４に係止したものである。ピン２４は、弾性部材２２の伸びが、非対称になるような位置に設けられる。すなわち、これらの配置は、前カバー１２を開いた状態及び閉じた状態において、弾性部材２２の伸び量が大きく、その中間位置においては、伸び量が小さくなるように決められる。図５では前カバー１２を閉じたときの弾性部材２２が示されている。図６では、前カバー１２を開いた状態における弾性部材２２の位置を実線で、閉じた状態及び中間位置における弾性部材２２の位置を一点鎖線で示している。このように、前カバーを最も開いた状態及び完全に閉じた状態において弾性部材による弾性力が大きく作用するので、前カバーはこれら開位置及び閉位置に近づくにつれてその動作と逆向きに大きな弾性力を受ける。その結果、第１の実施形態と同様に、前カバーが自らの重力により急激に開又は閉の状態に至るのが防止され、開閉動作時に指を挟む等の危険が回避される。弾性部材を支持するためのピン２４等の係止部材は、図示のように側板７に設ける他、棚板５に設ける等、楽器本体の種々の箇所に直接或いは他の部材を介して設けることができる。
【００４７】
（第３の実施形態−譜面板装置との連動構造）
以下、本発明の第３の実施形態について説明する。本発明に係る電子鍵盤楽器は、以下に記載するように、天板上に設けられた譜面板装置を、カバーユニットの開閉動作に連動して天板の奥行き方向に移動するように配設したものとすることができる。このように構成することで、譜面台を使用しない状態であっても、譜面板装置を天板の奥行長以内に収めることができる。なお、ここでいう操作子とは、電子鍵盤楽器の鍵盤や、楽器の作動や楽音の制御を行う制御装置の操作端子等の操作部全般を指す。
【００４８】
このような電子鍵盤楽器において、好適には、前記カバーユニットと譜面板装置とを連結する連結手段とをさらに備えており、前記譜面板装置が、前記連結手段を介して、前記カバーユニットを開く際に前記天板の奥方向にスライドし、閉じる際に前記天板の手前方向にスライドするように、カバーユニットの開閉に連動して移動可能に配設されている。このような連結手段によって、前記カバーユニットの動きと前記譜面板装置の動きとが確実に連動する。
【００４９】
また、前記連結手段は、前記カバーユニットの開閉動作によって、該カバーユニットの少なくとも一部が前記天板の奥行き方向に移動する際に、前記カバーユニットの動く距離の全てを前記譜面板装置の動きとして伝えるのではなく、カバーユニット（またはカバーユニットの一部分）の動く距離の一部のみを伝える機能を有していることが好ましい。これによって、譜面板装置の奥行き方向の長さや天板の奥行長に関する設計の自由度が大幅に増す。
【００５０】
また、本願発明に係る電子鍵盤楽器においては、前記譜面板装置の奥行き方向の実質的実効長が、前記天板の奥行長よりも長く構成されることが好ましい。すなわち、通常の天板の奥行長（２５０ｍｍ程度）に比して、譜面板装置の長さ、すなわち譜面台の高さを従来より大きくする。これによって、譜面板装置に譜面等を立てた際の安定度が増す。具体的には、譜面板装置の奥行き方向の実質的実効長は、３００ｍｍ程度確保されることが好ましい。
【００５１】
別の視点から述べると、本願発明に係る電子鍵盤楽器においては、前記天板の奥行長が、譜面板装置の奥行き方向の実質的実効長よりも短く構成されていることが好ましい。すなわち、譜面板装置の長さ（譜面台としての高さ）を一般的なもの（１５０ｍｍ〜２００ｍｍ程度）とした場合、天板をそれまでに必要であった奥行長よりも小さく設計する。このように設計することで、電子鍵盤楽器を制作する際に、電子鍵盤楽器の全体構成をコンパクトにすることが可能となる。
【００５２】
なお、本発明において、前記譜面板装置は、譜面板と受け台とを別々に備えているものや、受け台を一体的に組み込んだものであってもよい。このような譜面板装置に関する「奥行き方向の実質的実効長」とは、譜面板を倒した状態において、前記譜面板装置を前記天板の奥行き方向において測定した実質的な長さをいう。
【００５３】
以下、この譜面板装置との連動構造を備えた電子鍵盤楽器について、図７〜図１０を参照して説明する。
【００５４】
図示の電子鍵盤楽器１''においては、カバーユニット３２０は、鍵盤及びその後方部分を覆っており、鍵盤蓋の役割をなす。カバーユニット３２０は、前後に分割され折りたたみ自在に結合された前カバー（前蓋）３２１及び後カバー（後蓋）３２２を備え、前カバー３２１及び後カバー３２２を延ばした閉状態で口棒６上端から鍵盤上方を経て天板９の前端に亘る部分を覆い、折りたたんだ開状態で鍵盤の上方を開放する。
【００５５】
このカバーユニット３２０の取付け構造は、以下の通りである。カバーユニット３２０の一部を構成する前カバー３２１は、左右両側の側板８に固定された回動支点３１５に支持されている。前カバー３２１は、回動支点３１５を中心に回動するようにして開閉され、閉時に白鍵３および黒鍵４を覆う。前カバー３２１の後端部と後カバー３２２の前端部とはヒンジ部３２３で回動可能に結合されている。また前カバー３２１は、スピーカ３２４等の機能部材を内部に収容する厚さを有している。
【００５６】
天板９の上面には、譜面板装置３３０が前後方向（図７の矢印Ａの方向）にスライド可能に載置されている。譜面板装置３３０は譜面板３３１と、スライド板３３２とを備えており、譜面板３３１は、背面の下部に取り付けられた回転軸３３３によりスライド板３３２に対して回動可能に支持されている。譜面板３３１は、その背面が支持具３３４によって支えられており、支持具３３４が係止部３３５の適当な位置に係止されることによって、譜面板３３１をやや斜め後方に起立した状態で保持することができる。スライド板３３２には上面に開いた凹部が形成されており、該凹部において受け台３３６が回転軸３３３に平行な方向に連続して延びるように設けられている。譜面板３３１を起立した状態で譜面３３８を立てかけた際に、受け部３３６において譜面の下端を支持する。図７における電子鍵盤楽器１''は、カバーユニット３２０を開き、譜面板３３１を起立させた状態を示している。
【００５７】
譜面板装置３３０は、カバーユニット３２０の開閉動作に連動して、天板９上を前後方向にスライドする。スライド板３３２の下面には、スライド板３３２に対してほぼ垂直に延びる前舌片３４１および後舌片３４２が相互に間隔をあけて前後に固定されており、天板９に設けられた溝状の開口３４３を貫通している。前記前舌片３４１および後舌片３４２が開口３４３に沿って移動することで、スライド板３３２は、天板９上を前後方向にスライドする。
【００５８】
側板８には案内溝３５０が設けられており、後カバー３２２の後端部に固定された接続部３２２ａに設けられた係合ピン３２２ｂが、案内溝３５０に沿って摺動することで、カバーユニット３２０を開ける際に後カバー３２２を後方へとスライド可能とする。なお側板８には、係合ピン３２２ｂを側板８の上端から案内溝３５０に導くための導入溝３５１も併せて設けられている。
【００５９】
接続部３２２ａに設けられた係合爪３２２ｃは、後カバー３２２が前方向にスライドする際には前舌片３４１に係合して引き寄せ、後方向にスライドする際には後舌片３４２を押す。この構造によって、カバーユニット３２０の開閉動作に連動して譜面板装置３３０が天板９に対して前後方向にスライド可能となる。
【００６０】
この例では、前述の係合爪３２２ｃ，前舌片３４１及び後舌片３４２が、カバーユニット３２０の動きを譜面板装置３３０に伝える連結手段として作用する。この構成は一例であって、異なる構成であっても、同様の作用をもたらすものであれば、連結手段の概念に含まれることは言うまでもない。
【００６１】
次に、このような電子鍵盤楽器１''のカバーユニット３２０を開閉する動きに連動して、譜面板装置３３０が前後に移動するための動作について図７および図８を用いて詳細に説明する。なお図８においては、カバーユニット３２０および譜面板装置３３０の動きと関連しない要素の一部については図示を省略している。
【００６２】
図７に示す電子鍵盤楽器１''は、カバーユニット３２０が開いた状態を表しているが、この状態において、後カバー３２２後端部は、スライド板３３２に固定された後舌片３４２と接している。カバーユニット３２０を閉じる動作と共に、後カバー３２２の後端部が後舌片３４２から離れ、後カバー３２２が案内溝３５０に沿って前方に移動する。後カバー３２２の後端部は案内溝３５０に沿って前方方向へ一定距離（＝Ｌ2）進んだ地点で前舌片３４１に接触する。その後、カバーユニット３２０がさらに閉じられることにより、前記後端部に備えられた係合爪３２２ｃは前舌片３４１を前方方向に引いて移動させる。これによって、譜面板装置３３０は天板９の上面を前方（手前側）にスライドする。カバーユニット３２０が完全に閉じられた状態になったとき、後カバー３２２の後端部は所定距離移動し、前舌片３４１は開口３４３の前端部近くに到達して停止する。この状態において、譜面板装置３３０は天板９の上面よりやや前方方向に張り出した場所に位置している。図８は、このようにしてカバーユニット３２０が完全に閉じられた電子鍵盤楽器１''の様子を示す縦断面図であり、図９は、カバーユニット３２０が閉じられた状態の電子鍵盤楽器１''の正面図である。図９に示すように、前舌片３４１（および後舌片３４２）は電子鍵盤楽器１''の幅方向における中央付近に位置している。また、スライド板３３２は、その両側端の上面及び側面が、奥行き方向に延びるガイド部材３３７に接しており、該ガイド部材３３７に沿ってスライドする。
【００６３】
次に、電子鍵盤楽器１''のカバーユニット３２０が、図２に示す閉じられた状態から、開かれる際の動作について説明する。カバーユニット３２０を開く動作を行うと、後カバー３２２の後端部は前舌片３４１から離れ、案内溝３５０に沿って移動し、係合爪３２２ｃはこれに伴って後方へスライドする。後カバー３２２の後端部が案内溝３５０に沿って一定距離（＝Ｌ2）だけ移動すると、後カバー３２２の後端部は後舌片３４２に接する。後舌片３４２は、開口３４３に沿って後方へ移動可能なため、後カバー３２２の後端部に押される形で、係合ピン３２２ｂが案内溝３５０の終端部にたどり着くまで後方へ一定距離（＝Ｌ1）移動する。係合ピン３３３ｃが案内溝３５０の終端部で停止すると、後舌片３４２は開口３４３の後端部近くに達する。
【００６４】
以上の説明から明らかなように、カバーユニット３２０の開閉動作によって、後カバー３２２は案内溝３５０の奥行き方向の実質的長さ（Ｌ0＝Ｌ1＋Ｌ2）を摺動する。このとき、カバーユニット３２０の開閉動作に連動してスライドする譜面板装置３３０は、前後方向にそれぞれＬ1の距離のみスライドする。言い換えると、前舌片３４１および後舌片３４２の間隔（＝Ｌ2）を後カバー３２２の後端部が摺動する間は、譜面板装置３３０の前後方向の動きに影響を及ぼさない。すなわち、前舌片３４１および後舌片３４２の間隔Ｌ2は、カバーユニット３２０を開閉するために後カバー３２２が移動する距離の一部を吸収する役割を果たしている。
【００６５】
譜面板装置３３０をスライドさせる距離（Ｌ2）は、前舌片３４１および後舌片３４２をスライド板３３２の位置を変更することで、容易に調節可能であるため、前記吸収される距離を変更することができる。なお、後端部３２２の摺動する距離（＝Ｌ0）についても、案内溝３５０や開口３４３の長さを必要に応じて選択することで、適宜設定可能である。このように、カバーユニット３２０の動く距離（すなわち後カバー３２２の摺動する距離）の一部を譜面板装置３３０のスライドする動作（距離）に伝達することで、譜面板装置の奥行き方向の長さや天板の奥行長、カバーユニット３２０の摺動構造等の設計に自由度をもたせることができる。
【００６６】
次に、カバーユニット３２０が閉じられた状態で、譜面板３３１を倒した様子を図１０に示す。譜面板３３１は、後方に倒された際に天板９の奥端（地点Ｐ）を越えずに収まるように設計されている。このような天板９の奥行き長さや、譜面板３３１の長さ等の設計は、前舌片３４１と後舌片３４２の前後方向の間隔（＝Ｌ1）とともに調整することが好ましい。このように調整することによって、譜面板３３１について、譜面を安定して支持することができる高さを確保できるとともに、電子鍵盤楽器１''の奥行きをコンパクトに設計することができる。
【００６７】
また、譜面板装置３３０は、カバーユニット３２０を閉じた状態で、天板９の前端より手前（前方）に位置する。したがって、楽譜等に書き込みを行う場合に、譜面板装置３３０の譜面板１２またはスライド板３３２を筆記台として利用し易くなるという利点を得ることもできる。
【００６８】
さらに、カバーユニット３２０を開いた状態において、前カバー３２１とスライド板３３２との間にある程度の隙間ができるように設計されることが好ましい。このようにすることで、カバーユニット３２０を開けた際に、前カバー３２１と譜面板装置３３０との間で手挟みが生じることを防ぐことができる。
【００６９】
なお、図７〜図１０に示した構造は、譜面板装置３３０およびカバーユニット３２０の連結手段の一例を示しているが、連結手段は、このような構造に限定されるものではない。例えば、ギヤやベルト等、またはそれらの組み合わせによってカバーユニット３２０の動く距離の一部を譜面板装置３３０のスライドする距離に伝達するようにしてもよい。また、この例ではカバーユニット３２０の前カバー３２１は、ヒンジ３２３を中心に回動し、後カバー３２２が前後に移動しているが、このような形態に限られるものではなく、カバーユニット３２０の他の部分やカバーユニット３２０全体が前後に移動するような構造であってもよい。
【００７０】
（他の実施形態）
本発明は、以上に記載した実施形態に限定されるものではなく、種々の変形が可能である。例えば、緩衝機構としては、図示のように引張りコイルバネにより引張力を作用させる構成の他、捩りバネを前カバーの回動支点の軸及びその支持部分に介在させ回転モーメントを開閉動作の逆向きに作用させる等、種々の構成を採用することができる。
【００７１】
後カバーを前後方向に移動可能にする案内機構としては、前述の第１実施形態又は第３実施形態のものと第２実施形態のものとを入れ替えて備えることもできる。また他の種々の形態のリンク機構やガイド溝またはガイドレールを備えた機構を採用することも可能である。
【００７２】
なお、上記の各実施形態では、鍵盤を覆うカバーユニットについて示したが、鍵盤以外の楽音制御のための操作子を覆うカバーユニットを備えたものに適用することもできる。
【図面の簡単な説明】
【００７３】
【図１】本発明の第１の実施形態に係る電子鍵盤楽器についてカバーユニットを閉じた状態を示す縦断側面図である。
【図２】図１の電子鍵盤楽器についてカバーユニットを開いた状態を示す縦断側面図である。
【図３】図１の電子鍵盤楽器についてカバーユニットが開閉の中間位置にある状態を示す縦断側面図である。
【図４】図１の電子鍵盤楽器の一部についてカバーユニットを開いた状態を示す平面図である。
【図５】本発明の第２の実施形態に係る電子鍵盤楽器についてカバーユニットを閉じた状態を示す縦断側面図である。
【図６】図５の電子鍵盤楽器についてカバーユニットを開いた状態を示す縦断側面図である。
【図７】本発明の第３の実施形態に係る電子鍵盤楽器についてカバーユニットを開いた状態を示す縦断側面図である。
【図８】図７の電子鍵盤楽器についてカバーユニットを閉じた状態を示す縦断側面図である。
【図９】図７の電子鍵盤楽器についてカバーユニットを閉じた状態を示す正面図である。
【図１０】図７の電子鍵盤楽器についてカバーユニットを閉じ譜面板を倒した状態を示す縦断側面図である。
【図１１】従来技術を示すものであり、（ａ）鍵盤蓋を開いた状態、（ｂ）は鍵盤蓋を閉じた状態を示す縦断側面図である。
【図１２】従来タイプの電子鍵盤楽器の前カバーにスピーカを内蔵した形態を概略的に示す縦断側面図であり、（ａ）は鍵盤蓋を閉じた状態、（ｂ）は鍵盤蓋を開いた状態を示す。
【符号の説明】
【００７４】
１、１'、１''：電子鍵盤楽器、 ８：側板、 ９：天板、 １１：後カバー、１２：前カバー、 １６：リンク部材（案内機構）、 １８：ヒンジ部、 ２０、３０：カバーユニット、 ２１：回動支点、 ２２：弾性部材、 ３１：前カバー、３２：後カバー、 ３３：ヒンジ部、 １４、３４：スピーカ、４０：回動装置、 ４１：回動支持部、 ５０：案内機構、５１：案内溝、 ５３：係合ピン、 ７０：緩衝機構、７２：弾性部材、 ３１５：回動支点、 ３２０：カバーユニット、３２１：前カバー、 ３２２：後カバー、 ３２２ｂ：係合ピン、３２３：ヒンジ部、 ３２４：スピーカ、 ３５０：案内溝
【図１】
2008310356.tif 000003
【図２】
2008310356.tif 000004
【図３】
2008310356.tif 000005
【図４】
2008310356.tif 000006
【図５】
2008310356.tif 000007
【図６】
2008310356.tif 000008
【図７】
2008310356.tif 000009
【図８】
2008310356.tif 000010
【図９】
2008310356.tif 000011
【図１０】
2008310356.tif 000012
【図１１】
2008310356.tif 000013
【図１２】
2008310356.tif 000014
【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
演奏操作される鍵盤と、
閉状態において前後に並んで位置するように分割され鍵盤から天板の前端又はその近傍までの範囲を覆う前カバー及び後カバーを備え、該前カバー及び後カバーを折りたたんだ開状態で鍵盤の上方を開放するカバーユニットと、
前記鍵盤及び楽音発生手段を収容する楽器本体と
を備えた電子鍵盤楽器であって、
前記前カバーと後カバーとは閉状態における鍵盤上方の位置で各々の上部をヒンジ部により回動可能に結合されており、
前記前カバー後端部は、楽器本体内に固定された回動支持部を回動中心として回動自在に支持され、
前記前カバーは、閉状態において上面に位置する上壁及び下面に位置する下壁を備え、該下壁は閉状態において前記上壁より後方まで延設され、
前記回動支持部は、閉状態において前記ヒンジ部より下方で且つ後方に位置して、前記下壁における後端部の両端部を回動自在に支持し、開状態において鍵盤上方を開放するように配置され、
前記前カバーは、開状態において、天板の前端部付近より下方部分を覆い、且つ前記ヒンジ部が後方への回動により前記回動支持部より下方の位置に至るように回動範囲が決められており、
前記後カバーは、側板に設けられた案内機構により前後方向に移動可能に支持されている
ことを特徴とする電子鍵盤楽器。
【請求項２】
演奏操作される鍵盤と、
閉状態において前後に並んで位置するように分割され鍵盤から天板の前端又はその近傍までの範囲を覆う前カバー及び後カバーを備え、該前カバー及び後カバーを折りたたんだ開状態で鍵盤の上方を開放するカバーユニットと、
前記鍵盤及び楽音発生手段を収容する楽器本体と
を備えた電子鍵盤楽器であって、
前記前カバーと後カバーとは閉状態における鍵盤上方の位置で各々の上部をヒンジ部により回動可能に結合されており、
前記前カバー後端部は、楽器本体内に固定された回動支持部を回動中心として回動自在に支持され、
前記前カバーは、閉状態において上面に位置する上壁及び下面に位置する下壁を備え、該下壁は閉状態において前記上壁より後方まで延設され、
前記回動支持部は、閉状態において前記ヒンジ部より下方で且つ後方に位置して、前記下壁における後端部の両端部を回動自在に支持し、開状態において鍵盤上方を開放するように配置され、
前記前カバーは、開状態において、天板の前端部付近より下方部分を覆い、且つ前記ヒンジ部が後方への回動により前記回動支持部より下方の位置に至るように回動範囲が決められており、
前記後カバーは、側板に設けられた案内機構により前後方向に移動可能に支持されており、
前記前カバーには、電気配線を伴った機能部材が、前記カバーユニットの開状態においてその正面を演奏者の側に向けるようにして装着されていることを特徴とする電子鍵盤楽器。
【請求項３】
前記機能部材がスピーカであり、前記前カバーに内蔵されていることを特徴とする請求項２に記載の電子鍵盤楽器。
【請求項４】
前記機能部材が、電子的表示部を備えていることを特徴とする請求項２に記載の電子鍵盤楽器。
【請求項５】
前記カバーユニットの開閉時にカバーユニットの自重による負荷を軽減する負荷軽減手段をさらに備え、
該負荷軽減手段は、前記カバーユニットの全開又は全閉位置へ近づくにしたがって該位置への接近に対する抵抗力を増すように、一端を楽器本体に結合され、他端を前記ヒンジ部から該ヒンジ部の長手方向を横切る方向に離れた位置で前記前カバーに結合された弾性部材を備えていることを特徴とする請求項１から４のいずれかに記載の電子鍵盤楽器。